(57)【要約】      （修正有）【課題】粘着テープに設けた光吸収層又は光拡散層による輝度ムラを抑制し、バックライトの色ムラを抑制できるＬＣＤモジュールを提供する。【解決手段】ＬＣＤパネルとバックライト筐体の間に貼着して使用される光反射性と遮光性とを併有する粘着テープであって、光反射層１６と遮光層１７を積層して成る支持体１５と、支持体１５の少なくとも片方の面に設けた粘着層１８とを有し、光反射層１６表面の一部に光吸収層又は光拡散層１９を有し、光吸収層又は光拡散層１９の内側もしくは外側の任意の位置に着色層２０を有する遮光反射粘着テープ２１を有する構成とすることにより、光吸収層又は光拡散層１９によって部分的に輝度の強弱を調整すると同時に、着色層２０が反射する光の色で部分的に光の色味を調整できるので、輝度ムラを抑制したことに加えて同時に色ムラを抑制した表示品位の高いＬＣＤモジュールを得ることができる。【選択図】図１
2013218132.tif 000002
【特許請求の範囲】
【請求項１】
ＬＣＤパネルとバックライト筐体の間に貼着して使用される光反射性と遮光性とを併有する粘着テープであって、光反射層と遮光層を積層して成る支持体と、前記支持体の少なくとも片方の面に設けた粘着剤層とを有し、前記光反射層表面の一部に光吸収層又は光拡散層を有し、前記光吸収層又は光拡散層の内側もしくは外側の任意の位置に着色層を有する遮光反射粘着テープを有することを特徴とするＬＣＤモジュール。
【請求項２】
ＬＣＤパネルとバックライト筐体の間に貼着して使用される光反射性と遮光性とを併有する粘着テープであって、光反射層と遮光層を積層して成る支持体と、前記支持体の少なくとも片方の面に設けた粘着剤層とを有し、前記光反射層表面の一部に光吸収層又は光拡散層を有する遮光反射粘着テープと、前記遮光反射粘着テープの前記光反射層側に位置し、光透過性を有する粘着テープであって、光透過層から成る支持体と、前記支持体の少なくとも片方の面に設けた粘着剤層とを有し、前記光透過層表面の一部の任意の位置に着色層を有する光透過粘着テープを有することを特徴とするＬＣＤモジュール。
【請求項３】
ＬＣＤパネルとバックライト筐体の間に貼着して使用される光反射性と遮光性とを併有する粘着テープであって、光反射層と遮光層を積層して成る支持体と、前記支持体の少なくとも片方の面に設けた粘着剤層とを有し、前記光反射層表面の一部に光吸収層又は光拡散層を有する遮光反射粘着テープと、前記遮光反射粘着テープの前記光反射層側の任意の箇所に位置する粘着テープであって、着色層から成る支持体と、前記支持体の少なくとも片方の面に設けた粘着剤層とを有する着色粘着テープを有することを特徴とするＬＣＤモジュール。
【請求項４】
着色層は、任意の箇所の色の濃淡を任意の割合で変化させたものとすることを特徴とする請求項１〜３のいずれか１項に記載のＬＣＤモジュール。
【請求項５】
着色層は、任意の複数の色を有することを特徴とする請求項１〜４のいずれか１項に記載のＬＣＤモジュール。
【発明の詳細な説明】
【技術分野】
【０００１】
本発明はＬＣＤパネルとバックライト筐体を粘着テープにて貼着したＬＣＤモジュールに関するものである。
【背景技術】
【０００２】
従来、この種のＬＣＤモジュールは、大画面化及び薄型化が進むにつれて様々な要因によりバックライトの輝度ムラも増大していく傾向にある。この輝度ムラを抑制する一つの手段として、ＬＣＤパネルとバックライト筐体を貼着する粘着テープに光吸収層又は光拡散層を追加している（例えば、特許文献１参照）。
【０００３】
図６は、特許文献１に記載された従来のＬＣＤモジュールの概略断面図を示すものである。図６に示すように、一般によく用いられるサイドライト型バックライト方式のＬＣＤユニットは、バックライト筐体１の中に反射板２、導光板３、拡散シート４、プリズムシート５とＬＣＤパネル６が順に積層されており、導光板３の側方にランプリフレクタを設けた光源７が配置されている。更にＬＣＤパネル６とバックライト筐体１の間には、通常額縁状に打ち抜かれた粘着テープ８が挟み込まれている。粘着テープ８は、ＬＣＤパネル６とバックライト筐体１のみでなく、プリズムシート５にも接し、プリズムシート５の下側に設置されている拡散シート４等を固定する役割も併せ有している。なお、ここでＬＣＤパネル６の有効画面は、額縁状に打ち抜かれた粘着テープ８で囲まれた部分となっている。
【０００４】
また図７は、特許文献１に記載された従来のＬＣＤモジュールの粘着テープの構成図を示すものである。図７に示すように、従来のＬＣＤモジュールに用いられている粘着テープは、光反射性と遮光性とを併有するものであって、光反射層１と遮光層２を積層して成る支持体３と、支持体３の少なくとも片方の面に設けた粘着剤層４とを有し、光反射層１表面の一部に光吸収層又は光拡散層５を設けたことを特徴とする遮光反射粘着テープ６から構成されている。また遮光反射粘着テープ６は図６で示される粘着テープ８の位置に貼られおり、その際、遮光層２はＬＣＤパネル６の方向になるように、光反射層１は光源７の方向になるようにして、バックライト筐体１及びプリズムシート５に接するように貼着している。
【先行技術文献】
【特許文献】
【０００５】
【特許文献１】特開２００７−１６９３２２号公報
【発明の概要】
【発明が解決しようとする課題】
【０００６】
しかしながら、前記従来の構成では、光吸収層又は光拡散層によって部分的に輝度の強弱を調整して輝度ムラを抑制しているだけなので、光の色味については調整することができず、バックライトの色ムラを抑制できないという課題を有していた。
【０００７】
本発明は、前記従来の課題を解決するもので、輝度ムラを抑制したことに加えて同時に色ムラを抑制した表示品位の高いＬＣＤモジュールを提供することを目的とする。
【課題を解決するための手段】
【０００８】
前記従来の課題を解決するために、本発明のＬＣＤモジュールは、ＬＣＤパネルとバックライト筐体の間に貼着して使用される光反射性と遮光性とを併有する粘着テープであっ
て、光反射層と遮光層を積層して成る支持体と、前記支持体の少なくとも片方の面に設けた粘着剤層とを有し、前記光反射層表面の一部に光吸収層又は光拡散層を有し、前記光吸収層又は光拡散層の内側もしくは外側の任意の位置に着色層を有する遮光反射粘着テープを有する構成としたものである。
【０００９】
これによって、前記光吸収層又は光拡散層によって部分的に輝度の強弱を調整すると同時に、前記着色層を通して反射する光の色で部分的に光の色味を調整できるので、輝度ムラを抑制したことに加えて同時に色ムラを抑制した表示品位の高いＬＣＤモジュールを得ることが可能となる。
【００１０】
また、本発明のＬＣＤモジュールは、ＬＣＤパネルとバックライト筐体の間に貼着して使用される光反射性と遮光性とを併有する粘着テープであって、光反射層と遮光層を積層して成る支持体と、前記支持体の少なくとも片方の面に設けた粘着剤層とを有し、前記光反射層表面の一部に光吸収層又は光拡散層を有する遮光反射粘着テープと、前記遮光反射粘着テープの前記光反射層側に位置し、光透過性を有する粘着テープであって、光透過層から成る支持体と、前記支持体の少なくとも片方の面に設けた粘着剤層とを有し、前記光透過層表面の一部の任意の位置に着色層を有する光透過粘着テープを有する構成としたものである。
【００１１】
これによって、前記遮光反射粘着テープが有する前記光吸収層又は光拡散層によって部分的に輝度の強弱を調整すると同時に、前記遮光反射粘着テープとは別個に貼着された前記光透過粘着テープが有する前記着色層を通して反射する光の色で部分的に光の色味を調整できるので、後から組み合わせ可能な構成で、輝度ムラを抑制したことに加えて同時に色ムラを抑制した表示品位の高いＬＣＤモジュールを得ることが可能となる。
【００１２】
また、本発明のＬＣＤモジュールは、ＬＣＤパネルとバックライト筐体の間に貼着して使用される光反射性と遮光性とを併有する粘着テープであって、光反射層と遮光層を積層して成る支持体と、前記支持体の少なくとも片方の面に設けた粘着剤層とを有し、前記光反射層表面の一部に光吸収層又は光拡散層を有する遮光反射粘着テープと、前記遮光反射粘着テープの前記光反射層側の任意の箇所に位置する粘着テープであって、着色層から成る支持体と、前記支持体の少なくとも片方の面に設けた粘着剤層とを有する着色粘着テープを有する構成としたものである。
【００１３】
これによって、前記遮光反射粘着テープが有する前記光吸収層又は光拡散層によって部分的に輝度の強弱を調整すると同時に、前記遮光反射粘着テープとは別個に貼着された前記着色粘着テープが有する前記着色層を通して反射する光の色で部分的に光の色味を調整できるので、後から組み合わせ可能な構成で、輝度ムラを抑制したことに加えて同時に色ムラを抑制した表示品位の高いＬＣＤモジュールを得ることが可能となる。
【発明の効果】
【００１４】
本発明のＬＣＤモジュールは、輝度ムラを抑制したことに加えて同時に色ムラを抑制した表示品位の高いＬＣＤモジュールを提供することができる。
【図面の簡単な説明】
【００１５】
【図１】本発明の実施の形態１におけるＬＣＤモジュールの粘着テープの構成図
【図２】本発明の実施の形態２におけるＬＣＤモジュールの粘着テープの構成図
【図３】本発明の実施の形態３におけるＬＣＤモジュールの粘着テープの構成図
【図４】本発明の実施の形態４におけるＬＣＤモジュールの粘着テープの構成図
【図５】本発明の実施の形態５におけるＬＣＤモジュールの粘着テープの構成図
【図６】従来のＬＣＤモジュールの概略断面図
【図７】従来のＬＣＤモジュールの粘着テープの構成図
【発明を実施するための形態】
【００１６】
第１の発明は、ＬＣＤパネルとバックライト筐体の間に貼着して使用される光反射性と遮光性とを併有する粘着テープであって、光反射層と遮光層を積層して成る支持体と、前記支持体の少なくとも片方の面に設けた粘着剤層とを有し、前記光反射層表面の一部に光吸収層又は光拡散層を有し、前記光吸収層又は光拡散層の内側もしくは外側の任意の位置に着色層を有する遮光反射粘着テープを有することを特徴とするＬＣＤモジュールとすることにより、前記光吸収層又は光拡散層によって部分的に輝度の強弱を調整すると同時に、前記着色層を通して反射する光の色で部分的に光の色味を調整できるので、輝度ムラを抑制したことに加えて同時に色ムラを抑制した表示品位の高いＬＣＤモジュールを得ることができる。
【００１７】
第２の発明は、ＬＣＤパネルとバックライト筐体の間に貼着して使用される光反射性と遮光性とを併有する粘着テープであって、光反射層と遮光層を積層して成る支持体と、前記支持体の少なくとも片方の面に設けた粘着剤層とを有し、前記光反射層表面の一部に光吸収層又は光拡散層を有する遮光反射粘着テープと、前記遮光反射粘着テープの前記光反射層側に位置し、光透過性を有する粘着テープであって、光透過層から成る支持体と、前記支持体の少なくとも片方の面に設けた粘着剤層とを有し、前記光透過層表面の一部の任意の位置に着色層を有する光透過粘着テープを有することを特徴とするＬＣＤモジュールとすることにより、前記遮光反射粘着テープが有する前記光吸収層又は光拡散層によって部分的に輝度の強弱を調整すると同時に、前記遮光反射粘着テープとは別個に貼着された前記光透過粘着テープが有する前記着色層を通して反射する光の色で部分的に光の色味を調整できるので、後から組み合わせ可能な構成で、輝度ムラを抑制したことに加えて、同時に色ムラを抑制した表示品位の高いＬＣＤモジュールを得ることができる。
【００１８】
第３の発明は、ＬＣＤパネルとバックライト筐体の間に貼着して使用される光反射性と遮光性とを併有する粘着テープであって、光反射層と遮光層を積層して成る支持体と、前記支持体の少なくとも片方の面に設けた粘着剤層とを有し、前記光反射層表面の一部に光吸収層又は光拡散層を有する遮光反射粘着テープと、前記遮光反射粘着テープの前記光反射層側の任意の箇所に位置する粘着テープであって、着色層から成る支持体と、前記支持体の少なくとも片方の面に設けた粘着剤層とを有する着色粘着テープを有することを特徴とするＬＣＤモジュールとすることにより、前記遮光反射粘着テープが有する前記光吸収層又は光拡散層によって部分的に輝度の強弱を調整すると同時に、前記遮光反射粘着テープとは別個に貼着された前記着色粘着テープが有する前記着色層を通して反射する光の色で部分的に光の色味を調整できるので、後から組み合わせ可能な構成で、輝度ムラを抑制したことに加えて同時に色ムラを抑制した表示品位の高いＬＣＤモジュールを得ることができる。
【００１９】
第４の発明は、特に、第１〜３のいずれか１つの発明の着色層を、任意の箇所の色の濃淡を任意の割合で変化させたものとすることにより、前記着色層を通して反射する光の色で任意の濃淡をつけて光の色味を調整できるので、輝度ムラを抑制したことに加えて同時に色味の濃淡の変化にあわせて色ムラを抑制した表示品位の高いＬＣＤモジュールを得ることができる。
【００２０】
第５の発明は、特に、第１〜４のいずれか１つの発明の着色層を、任意の複数の色を有するものとすることにより、前記着色層を通して反射する光の色で複数の異なる光の色味を調整できるので、輝度ムラを抑制したことに加えて同時に複数の異なる色味を含む色ムラを抑制した表示品位の高いＬＣＤモジュールを得ることができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態におけるＬＣＤモジュールの粘着テープの構成図を示すものである。
【００２３】
図１において、支持体１５は光反射層１６と遮光層１７を積層して成っており、支持体１５の少なくとも片方の面には粘着層１８が設けられている。また光反射層１６表面の一部には光吸収層又は光拡散層１９を有しており、更に光吸収層又は光拡散層１９の内側もしくは外側の任意の位置に着色層２０を有する構造となっており、これらが一体となって遮光反射粘着テープ２１を構成している。
【００２４】
また遮光反射粘着テープ２１は図６で示される粘着テープ８の位置に貼られおり、その際、遮光層１７はＬＣＤパネル６の方向になるように、光反射層１６は光源７の方向になるようにして、バックライト筐体１及びプリズムシート５に接するように貼着している。
【００２５】
以上のように構成されたＬＣＤモジュールの粘着テープについて、以下その動作、作用を説明する。
【００２６】
まず、光源７を出た光は導光板３を介してバックライト筐体１内に広がり、反射板２及びバックライト筐体１の内側壁面によって反射した光は拡散シート４及びプリズムシート５を通ってＬＣＤパネル６を照らしている。そして遮光反射粘着テープ２１の光反射層１６は、バックライト筐体１の周辺部に進入する光を反射し、光源７の光を効率的に使用し、輝度を向上させることに寄与している。ただしこの状態では輝度は向上するものの、光源７の位置やバックライト筐体１の形状等の要因によって輝度ムラが多く発生する。そのため発生した輝度ムラの位置に合わせて、光反射層１６表面の一部に光吸収層又は光拡散層１９を設けることにより、部分的に輝度の強弱を調整することが可能となり、輝度ムラを抑制することができるのである。
【００２７】
またＬＣＤモジュールには、導光板３の光学性能を主な要因として、色ムラも多く発生している。そのため発生した色ムラの位置に合わせて、色ムラの色味の補色となる色に着色した着色層２０を設けることにより、着色層２０を通して反射する光の色で部分的に光の色味を調整することが可能となり、色ムラを抑制することができるのである。
【００２８】
なお、着色層２０は色ムラの状態に合わせて複数個所に設けてもよいものとする。
【００２９】
以上のように、本実施の形態においては、ＬＣＤパネルとバックライト筐体の間に貼着して使用される光反射性と遮光性とを併有する粘着テープであって、光反射層１６と遮光層１７を積層して成る支持体１５と、支持体１５の少なくとも片方の面に設けた粘着層１８とを有し、光反射層１６表面の一部に光吸収層又は光拡散層１９を有し、光吸収層又は光拡散層１９の内側もしくは外側の任意の位置に着色層２０を有する遮光反射粘着テープ２１を有することを特徴とするＬＣＤモジュールとすることにより、光吸収層又は光拡散層１９によって部分的に輝度の強弱を調整すると同時に、着色層２０を通して反射する光の色で部分的に光の色味を調整できるので、輝度ムラを抑制したことに加えて同時に色ムラを抑制した表示品位の高いＬＣＤモジュールを得ることができる。
【００３０】
（実施の形態２）
図２は、本発明の第２の実施の形態のＬＣＤモジュールの粘着テープの構成図である。
【００３１】
図２において、支持体１５は光反射層１６と遮光層１７を積層して成っており、支持体１５の少なくとも片方の面には粘着層１８が設けられている。また光反射層１６表面の一部には光吸収層又は光拡散層１９を有する構造となっており、これらが一体となって遮光反射粘着テープ２２を構成している。次に支持体２３は光透過層２４から成っており、支持体２３の少なくとも片方の面には粘着層２５が設けられている。また光透過層２４表面の一部の任意の位置には着色層２６を有する構造となっており、これらが一体となって光透過粘着テープ２７を構成している。そして光透過粘着テープ２７は遮光反射粘着テープ２２の光反射層１６側に位置し、遮光反射粘着テープ２２とは別個に貼着されており、ＬＣＤモジュールの色ムラの状態に合わせて後から組み合わせ可能な構成となっている。
【００３２】
また遮光反射粘着テープ２２及び光透過粘着テープ２７は図６で示される粘着テープ８の位置に貼られおり、その際、遮光反射粘着テープ２２の遮光層１７はＬＣＤパネル６の方向になるように、光反射層１６は光源７の方向になるようにして、光透過粘着テープ２７に接するように貼着しており、光透過粘着テープ２７の着色層２６は光源７の方向になるようにして、バックライト筐体１及びプリズムシート５に接するように貼着している。
【００３３】
以上のように構成されたＬＣＤモジュールの粘着テープについて、以下その動作、作用を説明する。
【００３４】
まず、光源７を出た光は導光板３を介してバックライト筐体１内に広がり、反射板２及びバックライト筐体１の内側壁面によって反射した光は拡散シート４及びプリズムシート５を通ってＬＣＤパネル６を照らしている。そして遮光反射粘着テープ２２の光反射層１６は、バックライト筐体１の周辺部に進入する光を反射し、光源７の光を効率的に使用し、輝度を向上させることに寄与している。ただしこの状態では輝度は向上するものの、光源７の位置やバックライト筐体１の形状等の要因によって輝度ムラが多く発生する。そのため発生した輝度ムラの位置に合わせて、光反射層１６表面の一部に光吸収層又は光拡散層１９を設けることにより、部分的に輝度の強弱を調整することが可能となり、輝度ムラを抑制することができるのである。
【００３５】
またＬＣＤモジュールには、導光板３の光学性能を主な要因として、色ムラも多く発生している。そのため発生した色ムラの位置に合わせて、光透過粘着テープ２７に色ムラの色味の補色となる色に着色した着色層２６を設けることにより、着色層２６を通して反射する光の色で部分的に光の色味を調整することが可能となり、色ムラを抑制することができるのである。
【００３６】
更に光透過粘着テープ２７は遮光反射粘着テープ２２とは別個に貼着されているため、ＬＣＤモジュールの色ムラの状態に合わせて後から自由に組み合わせることが可能であり、生産途中からの対応等にも適した構成となっている。
【００３７】
なお、着色層２６は色ムラの状態に合わせて複数個所に設けてもよいものとする。
【００３８】
また、光透過粘着テープ２７は、着色層２６の位置の異なる複数の種類を重ねて使用してもよいものとする。
【００３９】
以上のように、本実施の形態においては、ＬＣＤパネルとバックライト筐体の間に貼着して使用される光反射性と遮光性とを併有する粘着テープであって、光反射層１６と遮光層１７を積層して成る支持体１５と、支持体１５の少なくとも片方の面に設けた粘着層１８とを有し、光反射層１６表面の一部に光吸収層又は光拡散層１９を有する遮光反射粘着テープ２２と、遮光反射粘着テープ２２の光反射層１６側に位置し、光透過性を有する粘着テープであって、光透過層２４から成る支持体２３と、支持体２３の少なくとも片方の
面に設けた粘着層２５とを有し、光透過層２４表面の一部の任意の位置に着色層２６を有する光透過粘着テープ２７を有することを特徴とするＬＣＤモジュールとすることにより、遮光反射粘着テープ２２が有する光吸収層又は光拡散層１９によって部分的に輝度の強弱を調整すると同時に、遮光反射粘着テープ２２とは別個に貼着された光透過粘着テープ２７が有する着色層２６を通して反射する光の色で部分的に光の色味を調整できるので、後から組み合わせ可能な構成で、輝度ムラを抑制したことに加えて、同時に色ムラを抑制した表示品位の高いＬＣＤモジュールを得ることができる。
【００４０】
（実施の形態３）
図３は、本発明の第３の実施の形態のＬＣＤモジュールの粘着テープの構成図である。
【００４１】
図３において、支持体１５は光反射層１６と遮光層１７を積層して成っており、支持体１５の少なくとも片方の面には粘着層１８が設けられている。また光反射層１６表面の一部には光吸収層又は光拡散層１９を有する構造となっており、これらが一体となって遮光反射粘着テープ２２を構成している。次に支持体２８は着色層２９から成っており、支持体２８の少なくとも片方の面には粘着層３０が設けられており、これらが一体となって着色粘着テープ３１を構成している。そして着色粘着テープ３１は遮光反射粘着テープ２２の光反射層１６側の任意の箇所に位置し、遮光反射粘着テープ２２とは別個に貼着されており、ＬＣＤモジュールの色ムラの状態に合わせて最小限の大きさで後から組み合わせ可能な構成となっている。
【００４２】
また遮光反射粘着テープ２２及び着色粘着テープ３１は図６で示される粘着テープ８の位置に貼られおり、その際、遮光反射粘着テープ２２の遮光層１７はＬＣＤパネル６の方向になるように、光反射層１６は光源７の方向になるようにして、着色粘着テープ３１、バックライト筐体１及びプリズムシート５に接するように貼着しており、着色粘着テープ３１は、少なくともバックライト筐体１またはプリズムシート５の一部に接するように貼着している。
【００４３】
以上のように構成されたＬＣＤモジュールの粘着テープについて、以下その動作、作用を説明する。
【００４４】
まず、光源７を出た光は導光板３を介してバックライト筐体１内に広がり、反射板２及びバックライト筐体１の内側壁面によって反射した光は拡散シート４及びプリズムシート５を通ってＬＣＤパネル６を照らしている。そして遮光反射粘着テープ２２の光反射層１６は、バックライト筐体１の周辺部に進入する光を反射し、光源７の光を効率的に使用し、輝度を向上させることに寄与している。ただしこの状態では輝度は向上するものの、光源７の位置やバックライト筐体１の形状等の要因によって輝度ムラが多く発生する。そのため発生した輝度ムラの位置に合わせて、光反射層１６表面の一部に光吸収層又は光拡散層１９を設けることにより、部分的に輝度の強弱を調整することが可能となり、輝度ムラを抑制することができるのである。
【００４５】
またＬＣＤモジュールには、導光板３の光学性能を主な要因として、色ムラも多く発生している。そのため発生した色ムラの位置に合わせて、着色粘着テープ３１に色ムラの色味の補色となる色に着色した着色層２９を設けることにより、着色層２９を通して反射する光の色で部分的に光の色味を調整することが可能となり、色ムラを抑制することができるのである。
【００４６】
更に着色粘着テープ３１は遮光反射粘着テープ２２とは別個に貼着されているため、ＬＣＤモジュールの色ムラの状態に合わせて後から自由に組み合わせることが可能であり、必要最小限の部材追加でよいので、コストも抑えた上で、生産途中からの対応等にも適し
た構成となっている。
【００４７】
なお、着色層２９は色ムラの状態に合わせて複数個所に設けてもよいものとする。
【００４８】
以上のように、本実施の形態においては、ＬＣＤパネルとバックライト筐体の間に貼着して使用される光反射性と遮光性とを併有する粘着テープであって、光反射層１６と遮光層１７を積層して成る支持体１５と、支持体１５の少なくとも片方の面に設けた粘着層１８とを有し、光反射層１６表面の一部に光吸収層又は光拡散層１９を有する遮光反射粘着テープ２２と、遮光反射粘着テープ２２の光反射層１６側の任意の箇所に位置する粘着テープであって、着色層２９から成る支持体２８と、支持体２８の少なくとも片方の面に設けた粘着層３０とを有する着色粘着テープ３１を有することを特徴とするＬＣＤモジュールとすることにより、遮光反射粘着テープ２２が有する光吸収層又は光拡散層１９によって部分的に輝度の強弱を調整すると同時に、遮光反射粘着テープ２２とは別個に貼着された着色粘着テープ３１が有する着色層２９を通して反射する光の色で部分的に光の色味を調整できるので、後から組み合わせ可能な構成で、輝度ムラを抑制したことに加えて同時に色ムラを抑制した表示品位の高いＬＣＤモジュールを得ることができる。
【００４９】
（実施の形態４）
図４は、本発明の第４の実施の形態のＬＣＤモジュールの粘着テープの構成図である。
【００５０】
図４において、遮光反射粘着テープ３２の光吸収層又は光拡散層１９の内側もしくは外側の任意の位置に設けられた着色層３３は、任意の箇所の色の濃淡を任意の割合で変化させたものとする構成とするもので、例えば、ＬＣＤモジュールの色ムラがグラディエーション状に変化しているような場合に、色ムラの色味の補色となる色を色ムラの濃淡の変化にあわせた状態で着色した着色層３３を設けることにより、着色層３３を通して反射する光の色で濃淡をつけて光の色味を調整することが可能となり、色味の濃淡の変化にあわせて色ムラを抑制することができるのである。
【００５１】
なお、着色層３３は色ムラの状態に合わせて複数個所に設けてもよいものとする。
【００５２】
以上のように、本実施の形態においては、着色層３３を、任意の箇所の色の濃淡を任意の割合で変化させたものとすることにより、着色層３３を通して反射する光の色で任意の濃淡をつけて光の色味を調整できるので、輝度ムラを抑制したことに加えて同時に色味の濃淡の変化にあわせて色ムラを抑制した表示品位の高いＬＣＤモジュールを得ることができる。
【００５３】
（実施の形態５）
図５は、本発明の第５の実施の形態のＬＣＤモジュールの粘着テープの構成図である。
【００５４】
図５において、遮光反射粘着テープ３４の光吸収層又は光拡散層１９の内側もしくは外側の任意の位置に設けられた着色層３５は、任意の複数の色を有するものとする構成とするもので、例えば、ＬＣＤモジュールの色ムラが一つの色味ではなく、複数の異なる色味に別れているような場合に、それぞれの色ムラの色味の補色となる色に分けて着色した着色層３５を設けることにより、着色層３５を通して反射する光の色で複数の異なる光の色味をそれぞれの色味に合わせて調整することが可能となり、複数の異なる色味を含む色ムラを抑制することができるのである。
【００５５】
なお、着色層３５は色ムラの状態に合わせて複数個所に設けてもよいものとする。
【００５６】
また、着色層３５は色味毎に複数に分割して別個に設けてもよいものとする。
【００５７】
また、着色層３５に含まれる色の数についての制限はないものとする。
【００５８】
以上のように、本実施の形態においては、着色層３５を、任意の複数の色を有するものとすることにより、着色層３５を通して反射する光の色で複数の異なる光の色味を調整できるので、輝度ムラを抑制したことに加えて同時に複数の異なる色味を含む色ムラを抑制した表示品位の高いＬＣＤモジュールを得ることができる。
【産業上の利用可能性】
【００５９】
以上のように、本発明にかかるＬＣＤモジュールは、光吸収層又は光拡散層によって部分的に輝度の強弱を調整すると同時に、着色層を通して反射する光の色で部分的に光の色味を調整することで、輝度ムラを抑制したことに加えて同時に色ムラを抑制した表示品位の高いＬＣＤモジュールを提供することが可能となるので、バックライトを有するものであれば、ＬＣＤパネル以外の表示素子を有する機器についても適用できる。
【符号の説明】
【００６０】
１５  支持体
１６  光反射層
１７  遮光層
１８  粘着層
１９  光吸収層又は光拡散層
２０  着色層
２１  遮光反射粘着テープ
２２  遮光反射粘着テープ
２３  支持体
２４  光透過層
２５  粘着層
２６  着色層
２７  光透過粘着テープ
２８  支持体
２９  着色層
３０  粘着層
３１  着色粘着テープ
３２  遮光反射粘着テープ
３３  着色層
３４  遮光反射粘着テープ
３５  着色層
【図１】
2013218132.tif 000003
【図２】
2013218132.tif 000004
【図３】
2013218132.tif 000005
【図４】
2013218132.tif 000006
【図５】
2013218132.tif 000007
【図６】
2013218132.tif 000008
【図７】
2013218132.tif 000009